(57)【特許請求の範囲】
【請求項１】
予め定められた複数の配設位置に種類毎に異なる数の突出部が形成された複数種類の表示装置が着脱可能で、かつ前記複数の配設位置に対応する位置に識別穴が設けられたデジタルカメラであって、
前記識別穴内の突出部の有無を検知することにより、前記突出部の配設位置及び数を検出する検出手段と、
前記検出手段によって検出された前記突出部の配設位置及び数に基づいて、装着された前記表示装置の種類を特定する特定手段と、
装着された前記表示装置に駆動電力を供給する電力供給手段と、
装着された前記表示装置に前記電力供給手段から供給する駆動電力における駆動電圧を前記特定手段により特定された種類に応じて切り替える電圧切替手段と、
を備えたデジタルカメラ。
【請求項２】
前記表示装置の種類毎に、前記駆動電圧を前記電圧切替手段により切り替えるための切替情報を予め記憶した記憶手段を更に備え、
前記電圧切替手段は、前記記憶手段から前記特定された種類の表示装置に対応する前記切替情報を読み出し、当該切替情報に応じて前記切り替えを行う
請求項１記載のデジタルカメラ。
【請求項３】
前記電力供給手段を、前記表示装置に供給する駆動電力の電圧レベルを変更可能に構成し、
前記電圧切替手段は、前記電力供給手段における前記電圧レベルを前記特定手段により特定された種類に応じて変更することにより前記切り替えを行う
請求項１又は請求項２記載のデジタルカメラ。
【発明の詳細な説明】
【技術分野】
【０００１】
本発明は、デジタルカメラに係り、特に、被写体像を表示するための表示装置が複数種類の中から選択的に着脱可能に構成されたデジタルカメラに関する。
【背景技術】
【０００２】
近年、ＣＣＤ（Charge Coupled Device）、ＣＭＯＳ（Complementary Metal Oxide Semiconductor）イメージ・センサ等の撮像素子の高解像度化に伴い、デジタル電子スチルカメラやデジタルビデオカメラ等のデジタルカメラの需要が急増している。
【０００３】
ところで、この種のデジタルカメラには、撮影時や再生時に被写体像を表示するための液晶ディスプレイ（以下、「ＬＣＤ」という。）が設けられているものが多い。
【０００４】
ここで、当該ＬＣＤは、カメラ本体の小型化に伴って表示面積も小さくなる傾向にあるが、これに伴って、ＬＣＤの表示画像や文字等の表示内容が見え難くなってきている。
【０００５】
そこで、この問題を解決するための方法として、デジタルカメラを、ＬＣＤを含んで構成されたＬＣＤモジュールが自由に取り替えられる構成とすることが考えられる。すなわち、例えば、視力の弱い高齢者等がデジタルカメラを使用する場合には表示画面の大きなＬＣＤが搭載されたＬＣＤモジュールに取り替えたり、文字等の細かい画像の表示を行う場合には表示画素数の多い高精細なＬＣＤが搭載されたＬＣＤモジュールに取り替えること等によって上記問題に対処することができる。
【０００６】
また、ＬＣＤの種類として低温ポリシリコンＴＦＴ液晶（Thin Film Transistor Liquid Crystal）、アモルファスＴＦＴ液晶、Ｄ−ＴＦＴ液晶等があり、その種類によって価格も異なる。そこで、ＬＣＤモジュールを取り替えられるようにデジタルカメラを構成することにより、比較的画質や解像度に拘らないユーザは、価格の安い種類のＬＣＤを選択することも可能である。また、逆に、ＬＣＤの画質に拘るユーザは、大型で高精細なＬＣＤが搭載されたＬＣＤモジュールを選択することもできる。
【０００７】
以上のようなＬＣＤモジュールを複数種類の中から選択的に着脱可能に構成するデジタルカメラに適用できる技術として、特許文献１には、液晶モニタ部をカメラ本体部に対して着脱可能にし、液晶モニタ部をカメラ本体部から分離した状態でカメラ本体部との間で赤外線信号により映像をモニタできるようにしたビデオカメラ装置であって、カメラ本体部で液晶モニタ部の接続の有無を導電接続部で検出し、液晶モニタ部の着脱状態に応じて液晶モニタ部の電源のオン／オフを制御する技術が開示されている。
【特許文献１】特開平９−４６５６４号公報
【発明の開示】
【発明が解決しようとする課題】
【０００８】
しかしながら、ＬＣＤモジュールを複数種類の中から選択的に着脱可能に構成するデジタルカメラに上記特許文献１の技術を適用した場合、装着したＬＣＤモジュールを駆動することができない場合がある、という問題点があった。
【０００９】
すなわち、ＬＣＤは、メーカや種類等によって駆動電圧が異なっている場合が多い。このため、装着されたＬＣＤモジュールに搭載されたＬＣＤの種類等にかかわらず同一の駆動電圧を当該ＬＣＤモジュールに供給した場合には、当該駆動電圧では駆動できないＬＣＤが搭載されたＬＣＤモジュールを駆動することはできない。
【００１０】
なお、従来、外付けタイプのＬＣＤやＥＶＦ（Electronic View Finder、電子式ビュー・ファインダ）自身に駆動電力供給用の電池を設ける技術もあるが、この場合は当該電池のための重量の増加や設置スペースの増加を招くため、小型・軽量化の進むデジタルカメラの現状にはそぐわない。
【００１１】
本発明は上記問題点を解消するためになされたものであり、装着された表示装置を当該表示装置の種類にかかわらず駆動させることのできるデジタルカメラを提供することを目的とする。
【課題を解決するための手段】
【００１２】
上記目的を達成するために、請求項１記載のデジタルカメラは、予め定められた複数の配設位置に種類毎に異なる数の突出部が形成された複数種類の表示装置が着脱可能で、かつ前記複数の配設位置に対応する位置に識別穴が設けられたデジタルカメラであって、前記識別穴内の突出部の有無を検知することにより、前記突出部の配設位置及び数を検出する検出手段と、前記検出手段によって検出された前記突出部の配設位置及び数に基づいて、装着された前記表示装置の種類を特定する特定手段と、装着された前記表示装置に駆動電力を供給する電力供給手段と、装着された前記表示装置に前記電力供給手段から供給する駆動電力における駆動電圧を前記特定手段により特定された種類に応じて切り替える電圧切替手段と、を備えている。
【００１３】
請求項１に記載のデジタルカメラによれば、複数種類の中から選択的に装着された表示装置の種類が特定手段によって特定される。
【００１４】
なお、上記特定手段による表示装置の種類の特定は、表示装置の外部に位置及び数が表示装置の種類毎に異なるものとされた突出部や凹部等を設けておき、これらの配設状態を検出することにより特定する。
【００１５】
また、上記表示装置には、ＬＣＤ装置、ＣＲＴディスプレイ装置、プラズマ・ディスプレイ装置、有機ＥＬディスプレイ装置等のディスプレイ装置が含まれる。
【００１６】
一方、本発明は、装着された表示装置に対し、電力供給手段によって駆動電力が供給されるものとされている。
【００１７】
そして、本発明では、表示装置に電力供給手段から供給する駆動電力における駆動電圧が、電圧切替手段によって特定手段により特定された種類に応じて切り替えられる。
【００１８】
このように、請求項１に記載のデジタルカメラによれば、装着された表示装置の種類を、表示装置の種類毎に異なる突出部の配設位置及び数に基づいて特定し、当該表示装置に供給する駆動電力における駆動電圧を、特定された種類に応じて切り替えているので、装着された表示装置を当該表示装置の種類にかかわらず駆動させることができる。
【００１９】
なお、本発明は、請求項２に記載の発明のように、前記表示装置の種類毎に、前記駆動電圧を前記電圧切替手段により切り替えるための切替情報を予め記憶した記憶手段を更に備え、前記電圧切替手段は、前記記憶手段から前記特定された種類の表示装置に対応する前記切替情報を読み出し、当該切替情報に応じて前記切り替えを行うことが好ましい。これによって、当該切り替えを簡易な手順で行うことができる。
【００２０】
なお、上記記憶手段には、ＲＡＭ（Random Access Memory）、ＥＥＰＲＯＭ（Electrically Erasable and Programmable Read Only Memory）、フラッシュＥＥＰＲＯＭ（Flash EEPROM）等の記憶素子、スマート・メディア（SmartMedia(R)）、ｘＤピクチャーカード（xD-Picture Card）、コンパクト・フラッシュ（CompactFlash）、ＡＴＡ（AT Attachment）カード、マイクロドライブ、フロッピィディスク、ＣＤ−Ｒ（Compact Disc-Recordable）、ＣＤ−ＲＷ（Compact Disc-ReWritable）、光磁気ディスク等の可搬型記録媒体が含まれる。
【００２１】
また、本発明は、請求項３に記載の発明のように、前記電力供給手段を、前記表示装置に供給する駆動電力の電圧レベルを変更可能に構成し、前記電圧切替手段は、前記電力供給手段における前記電圧レベルを前記特定手段により特定された種類に応じて変更することにより前記切り替えを行うことが好ましい。これによって、本発明の電力供給手段として、装着対象とする表示装置の種類に応じて互いに異なる駆動電圧を生成する複数の電源装置を設ける場合に比較して、低コストでかつ小スペースに本発明を実現することができる。
【発明の効果】
【００２２】
本発明に係るデジタルカメラによれば、装着された表示装置の種類を特定し、当該表示装置に供給する駆動電力における駆動電圧を、特定された種類に応じて切り替えているので、装着された表示装置を当該表示装置の種類にかかわらず駆動させることができる、という効果が得られる。
【発明を実施するための最良の形態】
【００２３】
以下、図面を参照して、本発明を実施するための最良の形態について詳細に説明する。まず、図１を参照して、本実施の形態に係るデジタルカメラ１０の外観上の構成を説明する。
【００２４】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズボタン（所謂シャッター）５６Ａと、電源スイッチ５６Ｂと、が備えられている。
【００２５】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２６】
そして、デジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２７】
一方、デジタルカメラ１０の背面には、前述のファインダ２０の接眼部と、撮影された被写体像やメニュー画面等を表示するためのＬＣＤモジュール３８と、撮影を行うモードである撮影モード及び被写体像をＬＣＤモジュール３８により再生するモードである再生モードの何れかのモードに設定する際にスライド操作されるモード切替スイッチ５６Ｃと、が備えられている。
【００２８】
ここで、ＬＣＤモジュール３８は画像表示部としてＬＣＤ３８Ａを搭載しており、メーカによってＬＣＤ３８Ａによる表示面積、表示画素数、駆動方式等の少なくとも１つが異なる複数機種（本実施の形態では、４機種）のものが用意されている。そして、本実施の形態に係るデジタルカメラ１０は、当該複数機種のＬＣＤモジュール３８の中の１つを、用途や好み等に応じて選択して装着することができるように構成されている。
【００２９】
すなわち、図２に示すように、デジタルカメラ１０には、ＬＣＤモジュール３８を装着するための装着部１０Ａが設けられている。装着部１０ＡはＬＣＤモジュール３８の外形形状と略同形状で略同サイズとされた一部凹形状とされており、デジタルカメラ１０は、装着部１０Ａに何れかのＬＣＤモジュール３８を装着した状態（図１に示す状態）で略直方体となるように構成されている。
【００３０】
ＬＣＤモジュール３８の背面には、当該ＬＣＤモジュール３８の機種を示す識別ピン３８Ｂが設けられている。なお、本実施の形態に係るＬＣＤモジュール３８の識別ピン３８Ｂは最大２本とされており、当該識別ピン３８Ｂの配設位置及び数が次の表１に示すようにＬＣＤモジュール３８の各機種毎に予め定められている。
【００３１】
【表１】
0004629321.tif 000002
【００３２】
図２に示すＬＣＤモジュール３８は識別ピン３８Ｂが２本とも設けられているので、機種Ｄであることになる。なお、本実施の形態に係るデジタルカメラ１０では、表１に示す識別ピン３８Ｂの配設位置及び数と、これに対応するＬＣＤモジュール３８の機種名とが関連付けられた情報（以下、「機種対応情報」という。）が後述するマイクロコンピュータ４０（図３も参照。）に内蔵されたメモリ４０Ａに予め記憶されている。
【００３３】
一方、デジタルカメラ１０側の装着部１０Ａにおける、ＬＣＤモジュール３８を装着した状態で当該ＬＣＤモジュール３８の識別ピン３８Ｂの配設位置に対応する位置には、２つの識別穴１０Ｂが設けられている。そして、デジタルカメラ１０の識別穴１０Ｂの配設位置に対応する内部位置には、装着されたＬＣＤモジュール３８の識別ピン３８Ｂの有無を検知することができるピン検知部（図示省略。）が設けられており、デジタルカメラ１０は、装着されたＬＣＤモジュール３８の識別ピン３８Ｂの有無を当該ピン検知部によって検知することができ、当該検知結果に応じて当該ＬＣＤモジュール３８の機種を特定することができる。
【００３４】
なお、ＬＣＤモジュール３８の背面には、当該ＬＣＤモジュール３８に対して画像信号、各種制御信号、及び駆動電力を供給するためのコネクタ３８Ｃが設けられている。また、デジタルカメラ１０の装着部１０Ａにおける、ＬＣＤモジュール３８を装着した状態で当該ＬＣＤモジュール３８のコネクタ３８Ｃと機械的かつ電気的に接続可能な位置には、当該コネクタ３８Ｃに対応するコネクタ１０Ｃが設けられている。従って、デジタルカメラ１０と、装着されたＬＣＤモジュール３８との間の各種信号の送受信は、コネクタ１０Ｃ及びコネクタ３８Ｃを介して行われる。
【００３５】
一方、デジタルカメラ１０の背面には、十字カーソルボタン５６Ｄと、撮影時にストロボ４４を強制的に発光させるモードである強制発光モードを設定する際に押圧操作される強制発光スイッチ５６Ｅと、が更に備えられている。
【００３６】
なお、十字カーソルボタン５６Ｄは、ＬＣＤ３８Ａの表示領域における上・下・左・右の４方向の移動方向を示す４つの矢印キー及び当該４つの矢印キーの中央部に位置された決定キーの合計５つのキーを含んで構成されている。
【００３７】
次に、図３を参照して、本実施の形態に係るデジタルカメラ１０の電気系の構成を説明する。
【００３８】
デジタルカメラ１０は、前述のレンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３９】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００４０】
なお、デジタル信号処理部３０は、所定容量のラインバッファを内蔵し、入力されたデジタルデータを後述するメモリ４８の所定領域に直接記憶させる制御も行う。
【００４１】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００４２】
一方、デジタルカメラ１０は、デジタルカメラ１０全体の動作を司るマイクロコンピュータ４０と、撮影により得られたデジタル画像データ等を記憶するメモリ４８と、を含んで構成されている。なお、マイクロコンピュータ４０には、後述する切替情報が予め記憶された不揮発性のメモリ４０Ａが内蔵されている。
【００４３】
また、デジタルカメラ１０は、可搬型の記録メディア５２が着脱可能に構成されており、記録メディア５２が装着された状態でデジタル信号処理部３０により当該記録メディア５２がアクセスできる構成となっている。
【００４４】
なお、本実施の形態のデジタルカメラ１０では、メモリ４８としてＶＲＡＭ（Video RAM）が用いられ、記録メディア５２としてスマートメディア（Smart Media(R)）が用いられている。
【００４５】
更に、デジタルカメラ１０には、デジタル画像データに対する圧縮処理及び伸張処理を行う圧縮・伸張処理部５４が備えられている。
【００４６】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はマイクロコンピュータ４０によりタイミングジェネレータ３２を介して制御される。
【００４７】
また、前述のレリーズボタン５６Ａ、電源スイッチ５６Ｂ、モード切替スイッチ５６Ｃ、十字カーソルボタン５６Ｄ、及び強制発光スイッチ５６Ｅ（同図では、「操作部５６」と総称。）はマイクロコンピュータ４０に接続されており、マイクロコンピュータ４０は、これらの操作部５６に対する操作状態を常時把握できる。
【００４８】
更に、デジタルカメラ１０には、マイクロコンピュータ４０の制御に応じて、装着されたＬＣＤモジュール３８や、他の駆動電力を要する各部に対して駆動電力を供給する電源回路６０が備えられている。
【００４９】
本実施の形態に係る電源回路６０は、不図示のＡＣアダプタか、又はデジタルカメラ１０に装着された不図示の２次電池（ここでは、ニッケル水素電池）から供給された所定レベルの直流電圧を、予め定められたレベル範囲内で可変とされた直流電圧に変換するＤＣ（直流）−ＤＣコンバータを含んで構成されている。
【００５０】
当該ＤＣ−ＤＣコンバータは、ＬＣＤモジュール３８に駆動電力を供給するためのものであり、当該駆動電力の電圧レベルを、マイクロコンピュータ４０から入力された後述する駆動電圧情報により示される電圧レベルに変更することができるものとして構成されている。
【００５１】
また、電源回路６０には、当該ＤＣ−ＤＣコンバータの他、ＬＣＤモジュール３８以外の各部に対して駆動電力を供給するＤＣ−ＤＣコンバータも含まれている。
【００５２】
なお、デジタルカメラ１０は、ＬＣＤモジュール３８が装着された状態でコネクタ１０Ｃ及びコネクタ３８Ｃを介して、デジタル信号処理部３０からＬＣＤモジュール３８への画像信号の送信、及び電源回路６０からＬＣＤモジュール３８に対する駆動電力の供給、が各々可能に構成されている。
【００５３】
また、マイクロコンピュータ４０は、ＬＣＤモジュール３８が装着された状態で、ＬＣＤモジュール３８に設けられた識別ピン３８Ｂの前述した不図示のピン検知部による検知結果を示す検知情報を受信することができる。
【００５４】
ところで、本実施の形態に係るデジタルカメラ１０は、装着されたＬＣＤモジュール３８の種類に応じて、当該ＬＣＤモジュール３８に供給する駆動電力の電圧レベルを切り替える機能が備えられており、当該機能を実現するため、マイクロコンピュータ４０のメモリ４０Ａには、一例として図４に示すように、装着可能とされたＬＣＤモジュール３８の機種毎の駆動電圧を示す切替情報が予め記憶されている。
【００５５】
次に、本実施の形態に係るデジタルカメラ１０の撮影時における全体的な動作について簡単に説明する。
【００５６】
まず、ＣＣＤ２４によって被写体像の撮像を行い、当該被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００５７】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００５８】
メモリ４８の所定領域に格納されたデジタル画像データは、マイクロコンピュータ４０による制御に応じてデジタル信号処理部３０により読み出され、所定の物理量に応じたデジタルゲインをかけることでホワイトバランス調整を行うと共に、シャープネス処理を行なって８ビットのデジタル画像データを生成する。
【００５９】
そして、デジタル信号処理部３０は、生成した８ビットのデジタル画像データに対しＹＣ信号処理を施して輝度信号Ｙと色差信号Ｃｒ（＝Ｒ−Ｙ）、Ｃｂ（＝Ｂ−Ｙ）（以下、「ＹＣ信号」という。）を生成し、ＹＣ信号をメモリ４８の上記所定領域とは異なる領域に格納する。
【００６０】
なお、ＬＣＤモジュール３８は、ＣＣＤ２４による連続的な撮像によって得られた動画像（スルー画像）を表示してファインダとして使用することができるものとして構成されており、ＬＣＤモジュール３８をファインダとして使用する場合には、生成したＹＣ信号を画像信号として順次ＬＣＤモジュール３８に供給する。これによってＬＣＤモジュール３８のＬＣＤ３８Ａにスルー画像が表示されることになる。
【００６１】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸張処理部５４によって所定の圧縮形式（本実施の形態では、ＪＰＥＧ形式）で圧縮した後に記録メディア５２に記録する。
【００６２】
ところで、デジタルカメラ１０では、ＬＣＤモジュール３８が交換されたときに、装着されているＬＣＤモジュール３８の機種を特定して、当該ＬＣＤモジュール３８に供給する駆動電力を切り替えるＬＣＤ電力切替処理が実行される。以下、図５を参照して、当該ＬＣＤ電力切替処理について説明する。なお、図５はＬＣＤ電力切替処理の実行時にマイクロコンピュータ４０において実行されるＬＣＤ電力切替処理プログラムの処理の流れを示すフローチャートである。
【００６３】
同図のステップ１００では、前述した不図示のピン検知部から受信した検知情報により識別ピン３８Ｂの配設位置及び数を検出し、次のステップ１０２では、メモリ４０Ａに記憶されている機種対応情報を参照して、検出した識別ピン３８Ｂの配設位置及び数に対応するＬＣＤモジュール３８の機種を、装着されたＬＣＤモジュール３８の機種として特定する。
【００６４】
そして、次のステップ１０４では、特定したＬＣＤモジュール３８の機種に対応する駆動電圧情報（図４参照。）をメモリ４０Ａから読み出し、次のステップ１０６にて、読み出した駆動電圧情報を電源回路６０に出力することにより当該電源回路６０からＬＣＤモジュール３８に供給する駆動電力の電圧レベルを切り替え、その後に本ＬＣＤ電力切替処理プログラムを終了する。
【００６５】
電源回路６０は、上記駆動電圧情報が入力されると、それ以降、当該駆動電圧情報により示される電圧レベルの駆動電力をＬＣＤモジュール３８に対して供給することになる。
【００６６】
以上詳細に説明したように、本実施の形態では、装着されたＬＣＤモジュール３８の種類を特定し、当該ＬＣＤモジュール３８に供給する駆動電力における駆動電圧を、特定された種類に応じて切り替えているので、装着されたＬＣＤモジュール３８を当該ＬＣＤモジュール３８の種類にかかわらず駆動させることができる。
【００６７】
また、本実施の形態では、ＬＣＤモジュール３８の種類毎に、上記駆動電圧を切り替えるための切替情報を予めメモリ４０Ａに記憶しておき、当該メモリ４０Ａから上記特定された種類のＬＣＤモジュール３８に対応する切替情報を読み出し、当該切替情報に応じて上記切り替えを行っているので、当該切り替えを簡易な手順で行うことができる。
【００６８】
更に、本実施の形態では、ＬＣＤモジュール３８に駆動電力を供給する電源回路６０を、ＬＣＤモジュール３８に供給する駆動電力の電圧レベルを変更可能に構成すると共に、電源回路６０における上記電圧レベルを、特定されたＬＣＤモジュール３８の種類に応じて変更することにより上記切り替えを行っているので、電源回路として、装着対象とするＬＣＤモジュール３８の種類に応じて互いに異なる駆動電圧を生成する複数の電源装置を設ける場合に比較して、低コスト化かつ小スペース化することができる。
【００６９】
なお、本実施の形態では、ＬＣＤモジュール３８の機種毎に駆動電圧を切り替える場合について説明したが、本発明はこれに限定されるものではなく、例えば、ＬＣＤモジュールに搭載されたＬＣＤ３８Ａの種類毎に駆動電圧を切り替える形態とすることもできる。
【００７０】
この場合は、ＬＣＤ３８Ａの種類毎に異なる状態で識別ピン３８ＢをＬＣＤモジュール３８に設けておくと共に、ＬＣＤ３８Ａの種類毎に駆動電圧情報をメモリ４０Ａに予め記憶しておき、識別ピン３８Ｂの配設状態に応じてＬＣＤモジュール３８の種類を特定し、当該種類に応じた駆動電圧情報をメモり４０Ａから読み出してＬＣＤモジュール３８に供給する駆動電力を切り替える。この場合も、本実施の形態と同様の効果を奏することができる。
【００７１】
また、本実施の形態に係るデジタルカメラ１０の構成（図１〜図３参照。）は一例であり、本発明の主旨を逸脱しない範囲内において適宜変更可能であることは言うまでもない。
【００７２】
例えば、ＬＣＤモジュール３８に供給する駆動電力の電圧レベルが可変とされた電源回路６０に代えて、装着対象とするＬＣＤモジュール３８の種類に応じて互いに異なる電圧レベルの駆動電力を生成する複数のＤＣ−ＤＣコンバータが備えられた電源回路を設ける形態とすることもできる。なお、この場合、当該電源回路は、マイクロコンピュータ４０から入力された駆動電圧情報により示される電圧レベルの駆動電力を生成するＤＣ−ＤＣコンバータを選択的に適用することになる。この場合も、本実施の形態と同様の効果を奏することができる。
【００７３】
更に、本実施の形態において説明したＬＣＤ電力切替処理プログラム（図５参照。）の処理の流れも一例であり、本発明の主旨を逸脱しない範囲内において適宜変更可能であることは言うまでもない。
【図面の簡単な説明】
【００７４】
【図１】実施の形態に係るデジタルカメラ１０の外観を示す外観図である。
【図２】デジタルカメラ１０におけるＬＣＤモジュール３８に関する部分の構成を示す外観図である。
【図３】実施の形態に係るデジタルカメラ１０の電気系の構成を示すブロック図である。
【図４】実施の形態に係る切替情報の説明に供する模式図である。
【図５】実施の形態に係るＬＣＤ電力切替処理プログラムの処理の流れを示すフローチャートである。
【符号の説明】
【００７５】
１０    デジタルカメラ
３８    ＬＣＤモジュール（表示装置）
３８Ａ    ＬＣＤ
４０    マイクロコンピュータ（特定手段、電圧切替手段）
４０Ａ    メモリ（記憶手段）
６０    電源回路（電力供給手段）
【図１】
0004629321.tif 000003
【図２】
0004629321.tif 000004
【図３】
0004629321.tif 000005
【図４】
0004629321.tif 000006
【図５】
0004629321.tif 000007